Podtech/llm-jp-corpus-v4-ja_patent huggingface dataset:
(57)【要約】 【課題】本発明は、インペラ群が形成する羽根車の内周面に形成される回転子ハブが、収納する駆動電動機の大きさに直接関わることから、通気に障害とならないような回転子ハブの拡径実現にある。【解決手段】本発明に成る遠心ファンは、ケーシングの吸込口中央部に対向する回転子ハブが、インペラ高さの中間部位で該インペラ内周円弧面と一体となってインペラ保持基板に連通するように形成され、好ましくは回転子ハブの高さがインペラ高さの６０％以下に形成される。【選択図】        図１
2007092571.tif 000002
【特許請求の範囲】
【請求項１】
ケーシングと、該ケーシングの内部に回転自在に軸支される多翼羽根車と、該多翼羽根車の内側に形成される回転子ハブと、該回転子ハブに内装される駆動電動機を有し、前記ケーシングの一方の側壁に形成された吸込口から空気を吸入し、前記多翼羽根車の回転に拠り吸入空気に遠心力を与え、前記ケーシング外周面の一部に形成された吐出口から高圧空気を吐出する遠心ファンにおいて、前記ケーシングの吸込口中央部に対向する回転子ハブが、インペラ高さの中間部位で該インペラ内周円弧面と一体となってインペラ保持基板に連通するように形成されていること、を特徴とする遠心ファン。
【請求項２】
前記回転子ハブの高さがインペラ高さの６０％以下であること、を特徴とする請求項１に記載の遠心ファン。  
【発明の詳細な説明】
【技術分野】
【０００１】
本発明は、遠心ファン、特に小形と高性能との整合性に係る改良に関する。
【背景技術】
【０００２】
【特許文献１】（特開２００４−２３９１８８号公報）
【特許文献２】（特開  Ｈ１１−３２４９９１号公報）
【０００３】
遠心ファンの小型化と高性能化のニーズは、インペラの大きさ・駆動電動機の高出力化に対応する大型化の両者に対する背反的な要件を背景とし、上述公知文献等、詳細は省くが、多岐・多様な改良が積み重ねられている。
【０００４】
所望の性能に対応するインペラの仕様と共に、送風性能に直結する高速回転を可能とする駆動電動機は、所望の出力を得るために、インペラ群が形成する羽根車の内周面に、悠々と納まる大きさであることを許さないのが実態であった。
【０００５】
そして、図２に示す従来技術に成る回転子ハブ６では、該回転子ハブ６の外周面が羽根車内周円弧面と離間し、言い換えれば離間に伴い回転子ハブ６の外径が小さくなることが不可避で、従って内装される駆動電動機の外径寸法も制約され、特にモータファンとして汎用される外転形電動機では、電動機出力に直接的に関連する回転子３の径が小さくなることから、送風性能を左右する出力の点で不利を免れ得ないのが実態であった。
【発明の開示】
【発明が解決しようとする課題】
【０００６】
従来技術での課題は、インペラ群４が形成する羽根車（４）の内周面に形成される回転子ハブ６が、収納する駆動電動機の大きさに直接関わることから、通気に障害とならないような回転子ハブ６の拡径実現にある。
【課題を解決するための手段】
【０００７】
本発明は、ケーシング７と、該ケーシング７の内部に回転自在に軸支される多翼羽根車（４）と、該多翼羽根車（４）の内側に形成される回転子ハブ６と、該回転子ハブ６に内装される駆動電動機を有し、前記ケーシング７の一方の側壁に形成された吸込口から空気を吸入し、前記多翼羽根車（４）の回転に拠り吸入空気に遠心力を与え、前記ケーシング７の外周面の一部に形成された吐出口から高圧空気を吐出する遠心ファン１で、前記ケーシング７の吸込口中央部に対向する回転子ハブ６が、インペラ４の高さの中間部位で該インペラ４の内周円弧面と一体となってインペラ保持基板５に連通するように形成され、好ましくは
【０００８】
前記回転子ハブ６の高さがインペラ４の高さの６０％以下に形成される。
【発明の効果】
【０００９】
本発明に成る遠心ファン１は、吸込口からの吸気の流れを阻害せずに、インペラ４が形成する多翼羽根車（４）の大きさを変えることなく、内側に配置される駆動電動機の径の拡大を実現し、大径高出力電動機の採用即ち、高性能送風機を実現する効果がある。
【発明を実施するための最良の形態】
【００１０】
本発明に成る遠心ファン１は、高性能送風機を実現する効果がある。以下実施例を例に記述する。
【実施例１】
【００１１】
図１は、本願発明の実施例を示す遠心ファン１の要部断面図で、図２に、構成上の違いの理解を容易とするために上述従来技術に成る例の断面要図を示す。
【００１２】
図に見るように、本願発明においては、多翼羽根車（４）を形成するインペラ群４の内周円弧面の一部が回転子ハブの外周面６−１に連通し一体を成し、該回転子ハブの外周面６−１とこれに連通する保持基板５とでインペラ４を連結保持する形を呈している。
【００１３】
即ち、回転子ハブ６に内装される駆動用電動機は、その外径をインペラ内周円弧面に近接する大きさまで拡径することが出来ることになる。
本願発明の狙いである。
【００１４】
上述の通り、特に外転形電動機では、回転子３の径が出力への影響大であることから、その効果を見込んで、同等の出力を得るためには、軸方向の構成寸法は縮小も可能であることは周知の通りである。
【００１５】
本願発明技術は、ケーシング７の吸込口と回転子ハブ６の外径とが近接して通気空間が小さくなることに対処するため、上述電動機の軸方向寸法の縮減可能な利点を生かして、回転子ハブ６の高さ寸法をインペラ４の高さ寸法よりも小さくしている。
【００１６】
実証検討の結果、上述回転子ハブ６の高さをインペラ４の高さの６０％以下とすることが実用的であることを確認している。
【００１７】
図３はこれらの実証結果の一例で、５０ｍｍ角の本願発明に成る構成と、７０ｍｍ角の従来技術に成るブロアでの性能を対比し、同等の性能を得ていることを示している。
【産業上の利用可能性】
【００１８】
本発明に成る遠心ファンは、ファンとして拡径せず、大きな、従って高出力の駆動電動機を使用することが出来、小型化維持・高性能化による用途拡張が実現できる。
【図面の簡単な説明】
【００１９】
【図１】本発明に成る遠心ファン例の要部断面図である。
【図２】従来技術に成る遠心ファン例の要部断面図である。
【図３】発明技術と従来技術との性能比較の一例である。
【符号の説明】
【００２０】
１      遠心ファン
２      駆動電動機の固定子
３      駆動電動機の回転子
３−１  回転軸
４      インペラ
５      インペラ保持基板
５−１  インペラ保持基板の内周縁
６      回転子ハブ
６−１  回転子ハブの外周面
７      ケーシング（部分表示）
【図１】
2007092571.tif 000003
【図２】
2007092571.tif 000004
【図３】
2007092571.tif 000005
(57)【要約】 【課題】本発明は、吸気から排気に至る空気の流れに係る、更なる静穏化の実現を目的とする。【解決手段】本発明に成るターボファンは、ケーシングと、該ケーシングの内部に回転自在に軸支される多翼羽根車と、該多翼羽根車の内側でケーシングの吸込口中央部に対向するインペラボスと、該インペラボスに内装される駆動電動機を有し、前記ケーシングの吸込口中央部に対向する頭部周縁からインペラ保持基板内周縁に連通するインペラボス外周面が、断面円弧状を成すように構成される。【選択図】        図１
2007092570.tif 000002
【特許請求の範囲】
【請求項１】
ケーシングと、該ケーシングの内部に回転自在に軸支される多翼羽根車と、該多翼羽根車の内側に形成されるインペラボスと、該インペラボスに内装される駆動電動機を有し、前記ケーシングの一方の側壁に形成された吸込口から空気を吸入し、前記多翼羽根車の回転に拠り吸入空気に遠心力を与え、前記ケーシング外周面の一部に形成された吐出口から高圧空気を吐出するターボファンにおいて、前記ケーシングの吸込口中央部に対向する頭部周縁からインペラ保持基板内周縁に連通するインペラボス外周面が、断面円弧状を成すこと、を特徴とするターボファン。
【発明の詳細な説明】
【技術分野】
【０００１】
本発明は、ターボファン、特に薄型のターボファンの静穏化改良に関する。
【背景技術】
【０００２】
【特許文献１】（特開２００４−２３９１８８号公報）
【０００３】
ターボファン１の静穏化に係る改良は、小型化・薄型化を伴う用途の拡大で多様を極め、上術先願公知文献だけでなく、多くの策が提案されているが、その過半は回転動作に伴う騒音発生源である多翼羽根車に係る改良で、流体力学に基づくブレード形状の設定や、ブレード配置を対象とするものが多いのが実態であった。
【０００４】
そして、多翼羽根車の構成としては、円筒状に並ぶ多数の翼４を回転体として保持するために、軸３−１に連係するインペラボス６が設けられるが、周知構成として見られるインペラボス６は、図４に例示するように、その内部に駆動電動機を収納するためにカップ状に形成され、回転子３を保持する頂部とインペラ保持基板５の内周縁とに連通する部位は、円筒状６−２に形成されている。
【０００５】
ターボファン１の動作音としては、上述の通り羽根車のインペラ４に起因するものと共に、該吸気の乱れでのインペラボス６に関わるノイズも加わり、該インペラボス６の周りからのノイズ伝播も改善課題であることに変わりが無く、インペラボス６の剛性のアップも検討課題である他、吸気に際しての空気の流れの円滑さも改善すべき点であることが明らかと言える。図３は上述図４の例に対応する従来技術に成るターボファン１の構成での風の流れｆの様子を示すもので、インペラボス６の保持基板との連通部位での急激な流れ方向の転換により、乱流ｆ２が生ずることを示している。
【発明の開示】
【発明が解決しようとする課題】
【０００６】
上述の如き従来の構成は、それ相応の効果を実現して来てはいるが、実用上の改善へのニーズは止まること無く、小さな改善でも、その積み上げによる更なる静穏化の実現が望まれていることに変わりが無いのが実態であった。
【課題を解決するための手段】
【０００７】
本発明は、ケーシング７と、該ケーシング７の内部に回転自在に軸支される多翼羽根車（４）と、該多翼羽根車（４）の内側に形成されるインペラボス６と、該インペラボス６に内装される駆動電動機を有し、前記ケーシング７の一方の側壁に形成された吸込口から空気を吸入し、前記多翼羽根車（４）の回転に拠り吸入空気に遠心力を与え、前記ケーシング７の外周面の一部に形成された吐出口から高圧空気を吐出するターボファン１で、前記ケーシング７の吸込口中央部に対向する頭部周縁６−１からインペラ保持基板５の内周縁に連通するインペラボス外周面６−２が、断面円弧状を成すように構成される。
【発明の効果】
【０００８】
本発明に成るターボファン１は、上述の如き構成により、吸気から排気に至る空気の流れの円滑化による騒音抑制を実現している。
【発明を実施するための最良の形態】
【０００９】
本発明に成るターボファン１は、ケーシング７と、該ケーシング７の内部に回転自在に軸支される多翼羽根車（４）と、該多翼羽根車（４）の内側に形成されるインペラボス６と、該インペラボス６に内装される駆動電動機を有し、前記ケーシング７の一方の側壁に形成された吸込口から空気を吸入し、前記多翼羽根車（４）の回転に拠り吸入空気に遠心力を与え、前記ケーシング７の外周面の一部に形成された吐出口から高圧空気を吐出するもので、前記ケーシング７の吸込口中央部に対向する頭部周縁６−１からインペラ保持基板５の内周縁に連通するインペラボス外周面６−２が、断面円弧状に形成される。
【実施例１】
【００１０】
図１は、本願発明に成るターボファン１の一例で、吸込み口から流入する空気が、インペラボス外周面６−２に沿って軸方向に流れてインペラ保持基板５との連通部位で方向転換を余儀なくされることで乱れを生じることを抑制する手段として、図２に示すように、当該外周面をインペラボスの頂部周縁６−１から保持基板５の付け根部位に至る形状を断面円弧状とするものである。
【００１１】
上述本発明に係るインペラボス外周面６−２の形状は、ターボファンだけでなく、汎用遠心ファンにも適用可能である。
【産業上の利用可能性】
【００１２】
本発明に成るターボファン１は、小型化・薄型化のニーズに応えつつ、止むことの無い静穏化にも有効な構成として、広く利用されるものである。
【図面の簡単な説明】
【００１３】
【図１】本発明に成るターボファンの例の要部断面図である。
【図２】図１に示す本願発明に成る例の風の流れの様子を示す半断透視図である。
【図３】図４に示す従来技術の例の風の流れの様子を示す半断透視図である。
【図４】従来施術に成るターボファンの例の要部断面図である。
【符号の説明】
【００１４】
１      ターボファン
２      駆動電動機の固定子
３      駆動電動機の回転子
３−１  回転軸
４      インペラ
５      インペラ保持基板
５−１  インペラ保持基板の内周縁
６      インペラボス
６−１  インペラボスの頂部周縁
６−２  インペラボスの外周面
７      ターボファンの外被筐体（部分表示）
【図１】
2007092570.tif 000003
【図２】
2007092570.tif 000004
【図３】
2007092570.tif 000005
【図４】
2007092570.tif 000006
(57)【要約】【課題】天然岩塩を切り出すことなく、粉末状の精製塩又は天然塩からサウナ風呂の内装材として使用することができる、塩製パネルを提供する。【解決手段】粉末状の精製塩又は天然塩を、融点以上沸点以下の温度で加熱溶融し、その加熱溶融した精製塩又は天然塩を成形型に流し入れ、冷却固化させて固形の塩製パネルを得る。【選択図】図１
2007092514.tif 000002
【特許請求の範囲】
【請求項１】
精製塩または天然塩を、融点以上沸点以下の温度で加熱溶融し、その加熱溶融物を成形型に流し込んで、冷却固化させた塩製パネル。
【請求項２】
正六角形に成型した請求項１記載の塩製パネル。
【請求項３】
中央部が湾曲した凹面形状である請求項１又は２記載の塩製パネル。
【請求項４】
請求項１〜３のいずれか記載の塩製パネルによって浴室内面を形成したサウナ風呂。
【発明の詳細な説明】
【技術分野】
【０００１】
この発明は、サウナ風呂の浴室の内装材としてタイルのように使用することができる塩製パネルに関するものである。
【背景技術】
【０００２】
サウナ風呂の浴室の床面、側壁、天井面を、岩塩製のパネルをタイルのように貼り合わせて形成した塩サウナと呼ばれるサウナ風呂は、新陳代謝を活性化すると共に、癒しの効果や老化防止、疲労回復の効果が高いといわれ、特許文献１にも紹介されている。
【特許文献１】特開２００５−１９４８６１号公報
【発明の開示】
【発明が解決しようとする課題】
【０００３】
ところで、上記塩サウナの内装材として使用されている岩塩製のパネルは、天然岩塩を切り出して製造されている。
ところが、天然岩塩は、産地毎に、色、強度が異なり、色、強度が揃った一定のサイズのパネル材料を得ることは困難である。
【０００４】
そこで、この発明は、天然岩塩を切り出すことなく、粉末状の精製塩又は天然塩からサウナ風呂の内装材として使用することができる、塩製パネルを提供しようとするものである。
【課題を解決するための手段】
【０００５】
この発明は、上記の課題を解決するために、粉末状の精製塩又は天然塩を、融点以上沸点以下の温度で加熱溶融し、その加熱溶融した精製塩又は天然塩を成形型に流し入れ、冷却固化させて固形の塩製パネルを得たものである。
【０００６】
この発明の塩製パネルは、加熱溶融した精製塩又は天然塩を成形型に流し入れ、冷却固化させることによって製造したものであるから、色、強度、大きさ等の品質が均一であり、優れた建築内装材として使用することができる。
【０００７】
加熱溶融した精製塩又は天然塩を成形型に流し入れ、冷却固化させると、冷却固化の際に、表面が中央部に湾曲した凹部が形成されやすい。
この中央部が湾曲した凹部に形成された塩製パネルをそのまま内装材として使用すると、凹部によって内装壁の表面積が増えると共に、壁面の凹凸により、平面的でない雰囲気のある照明効果、視覚効果が得られる。
この発明の塩製パネルは、成形型の形状に応じて多角形、円形等種々の形状のものを製造することができるが、特に、正六角形に形成すると、タイルのように貼り合わせた時に、ハニカム構造になるため、横ずれや縦ずれが生じ難い。
【発明の効果】
【０００８】
以上のように、この発明に係る塩製パネルは、サウナ風呂等の建築の内装材として優れた適性を示す。
【発明を実施するための最良の形態】
【０００９】
この発明の塩製パネルは、粉末状の精製塩又は天然塩を、融点以上沸点以下の温度で加熱溶融し、その加熱溶融した精製塩又は天然塩を成形型に流し入れ、冷却固化させたものであり、図１には、正六角形の皿型の成形型を用いて成型した、正六角形の塩製パネル１を示している。
この塩製パネル１は、中央部が湾曲した凹部に形成されている。
【００１０】
図３〜図５は、この発明の塩製パネル１を、サウナ風呂の浴室の床面、側壁、天井面の内装材として使用した例を示している。
サウナ風呂の浴室は、側壁２、床３および天井４の基礎構造体を鉄筋コンクリート等によって構成し、この基礎構造体の側壁２、床３および天井４の内貼りとして、塩製パネル１を貼り合わせて塩内装側壁２ａ、塩内装床３ａおよび塩内装天井４ａを形成し、前記側壁２と前記塩内装側壁２ａの間、および前記床３と前記塩内装床３ａの間に、発熱手段５を設置したものである。発熱手段５としては、例えば、ボイラー７から加熱水を循環供給するパイプ６を少なくとも床３と前記塩内装床３ａの間に配置して構成することができる。発熱手段５としては、パイプ６およびボイラー７に替えて、電熱コイルや面状電熱発熱体からなる電熱発熱体を使用してもよい。
【００１１】
前記パイプ６は、直径が２ｃｍ程の金属製パイプで、外部に配置されたボイラー７に接続されている。そしてパイプ６に加熱水が通過することで、塩内装側壁２ａ、塩内装床３ａを介して、室内を２５℃〜１２０℃となるように加熱している。
【００１２】
基礎構造体の側壁２、床３および天井４の内面には、図５に示すように、発泡スチロールや発泡ウレタン等の断熱材８が配置されている。
上記塩製パネル１は、図５に示すように、コンクリート釘９により直接、側壁２、床３および天井４の基礎構造体に固定することができる。塩製パネル１の固定方法は、コンクリート釘９による固定方法に限られず、接着剤による固定方法でもよい。
【００１３】
サウナ風呂の浴室には、図４に示すように、扉１０と窓１１を設置している。
基礎構造体の側壁２、床３および天井４と、塩内装側壁２ａ、塩内装床３ａおよび塩内装天井４ａとの間の空間に光源を設置し、照明光が塩内装側壁２ａ、塩内装床３ａおよび塩内装天井４ａを透過するようにすると、幻想的な演出効果が得られる。
【図面の簡単な説明】
【００１４】
【図１】この発明に係る塩製パネルの一例を示す斜視図である。
【図２】図１の矢印に沿う断面図である。
【図３】この発明に係る塩製パネルを内装材として使用したサウナ風呂の浴室の縦断面図である。
【図４】図３の横断平面図である。
【図５】図３の部分拡大図である。
【符号の説明】
【００１５】
１  塩製パネル
２  側壁
２ａ  塩内装側壁
３  床
３ａ  塩内装床
４  天井
４ａ  塩内装天井
５  発熱手段
６  パイプ
７  ボイラー
８  断熱材
９  コンクリート釘
１０  扉
１１  窓
【図１】
2007092514.tif 000003
【図２】
2007092514.tif 000004
【図３】
2007092514.tif 000005
【図４】
2007092514.tif 000006
【図５】
2007092514.tif 000007
(57)【要約】【課題】  発電機は燃料（ガソリン、軽油、灯油、重油等）でエンジンを回し発電している【解決手段】  水圧で車輪を回すので、エンジンを撤去した発電機を回すので燃料がいらない。【選択図】図１
2007092740.tif 000002
【特許請求の範囲】
【請求項１】
発電機は燃料でエンジンを回して発電するがエンジン部分を撤去して、ポンプの水圧で車輪を回し、車輪とエンジン部分を撤去した主軸をベルトで繋いで発電する。燃料のいらない発電機
【発明の詳細な説明】
【技術分野】
【０００１】  この発明は車輪をポンプの水圧で回し、車輪と発電機のエンジンを撤去した、主軸のプーリーをベルトで繋いで、発電機を回すことで電気を電源としている。住宅、商業、漁業、農業、役所、工場等で電気代がいらない。灯油、軽油、ガソリン、ガス等を燃料（電気の設備に加工、設置しなければならない）がいらない。自動車、トレーラー、船、重機、汽車、電車、飛行機、ヘリコプター等に発電機を取り取り付けると燃料がいらない。
付帯している発電所（原子力、火力、水力、風力）電線、電柱、鉄柱、変電所、トランスがいらない。環境によい。
【背景技術】
【０００２】      ポンプ及び配管の詳細
エンジンの代わりをするポンプは用途によって大きさ、台数を代える。
ポンプのはけ口は、配管と繋ぐため、フランジ等で溶接止め、配管は鉄管、ステンレス管、アルミ管、塩ビ管等とする。配管のはけ口を絞る。【０００３】      車輪の詳細
車輪のベルトを取り外し出来るように、片側の外側に水圧を受け止める。
コップを半分に切断したもの、灰皿、鉄製、ステンレス、アルミ等を溶接止めとする。コップ、灰皿等は水圧を受けて車輪が回り易くする間隔とする。
車輪は自転車の前輪（タイヤ、チューブを取り外したもの）のようにベヤリング等で軽く回るように加工したものとする。【０００４】  燃料のいらない発電機の詳細
回転数を把握してから主軸のプーリーとベルトで繋ぎ、水が凍結しないように温風器を取り付ける。【０００５】    水槽及び囲いの詳細
水槽は鉄、ステンレス、アルミ等で水が漏れないよう、溶接し錆びないように樹脂を塗る。囲いはカラートタン、耐火ボート、断熱材を入れて囲いをする。水位計をビニール等で取り付け、ポンプ、発電機の出し入れにドアを取り付ける。
【図面の簡単な説明】
【０００６】
【図１】    全体断面図
【符号の説明】
【０００７】１、  水圧を受け止めるコップを半分に切断したもの又は灰皿等
２、  配管のはけ口は水圧を上げるためバルブを取り付ける。
３、  配管のはけ口は水圧を上げるため絞る。
４、  車輪（自転車の前輪、タイヤ、チューブを撤去したものでもよい）
５、  車輪の主軸（ベヤリング等で軽く回るようにする）
６、  配管にバルブを取り付ける。（水量の調整をするため）
７、  ポンプの配管
８、  エンジン部分を撤去した発電機の主軸
９、  燃料のいらない発電機
１０、  発電機と温風器の囲い（カラートタンのみとする）
１１、  温風器（冬期間水が凍結しないため）
１２、  外壁の囲い。
１３、  発電機の主軸にプーリーを取り付ける。
１４、  ベルト
１５、  ベルトを張り調整する。
１６、  ポンプのコード（発電機に繋ぐ）
１７、  荷台（発電機及び温風機）
１８    ポンプのコード（住宅等の電源に繋ぎ、発電機が回れば取り外し、ビニールテープでショートしないようにする）
１９    水槽（水漏れ防止に樹脂を塗る）
２０    ポンプのコード（途中から２本のコードとする）
２１    補給管
２２    ポンプのはけ口と配管の繋ぎはフランジを溶接しパッキンを入れる
２３    水位計（透明なパイプとする）
２４    水槽の床面（ポンプに向って勾配をつける）
２５    水位計（この部分は鉄管とする）
２６    ポンプ（回転数によって複数台とする）
【図１】
2007092740.tif 000003
(57)【要約】      （修正有）【課題】圧縮空気供給源に多段式ルーツブロワーを使ったエアーシステムにおいて、減圧弁のロスをなくすために減圧弁を取り外し、低圧の時有利な多段ルーツブロワーを使用してエネルギーの削減を目的とする圧縮空気利用システムを提供する。【解決手段】インターレース装置で糸加工するのに必要な圧縮空気を供給するシステム。圧縮空気供給装置をエアーコンプレッサの代わりに多段式ルーツブロワーを使用する。インターレース装置に供給する配管経路に圧力センサーを設置し、設定エアー圧になるようにルーツブロワーの原動の回転数を制御し調圧しながら供給をおこなうエアーシステムが好ましい。【選択図】なし【特許請求の範囲】
【請求項１】
インターレース装置で糸加工するのに必要な圧縮空気を供給するエアーシステム
【請求項２】
多段式ルーツブロワーを圧縮空気供給装置に構成された請求項１のエアーシステム
【請求項３】
圧力センサーで多段式ルーツブロワー制御を行う請求項１のシステム
【発明の詳細な説明】
【技術分野】
【０００１】
本発明は、圧縮空気供給源に多段式ルーツブロワーを使ったエアーシステムに関する。
【背景技術】
【０００２】
従来のインターレース装置における圧縮空気供給源は、一般にエアーコンプレッサが使われてきた。品物によりエアー圧は変える必要があり、減圧弁にて圧力を変えている。
【０００３】
以下、図１により従来のインターレース装置のエアーシステムの流れについて説明をする。図においてエアーコンプレッサ１、エアータンク２、メインラインフィルター３、エアードライヤ４、減圧弁５、圧力ゲージ６を配管にて接続されている。６からの配管はインターレース装置本体の自動バルブ７、及びエアーノズル８に接続される。
【発明の開示】
【発明が解決しようとする課題】
【０００４】
以上に述べた従来のエアーコンプレッサでは、ノズルへの供給エアー圧力が高い物はロスが少ないが、低い物（０．１ＭＰａ〜０．２ＭＰａ）に関してはエアーコンプレッサから供給されるエアー圧より、減圧弁にてかなり落とさないといけなかった。
【０００５】
本発明は、このような従来方式の構成が有していた課題を解決しようとするものであり、減圧弁のロスをなくすために減圧弁を取り外し、低圧の時有利な多段式ルーツブロワーを使用してエネルギーの削減を目的とするものである。
【課題を解決するための手段】
【０００６】
そして、本発明は上記目的を達成するために、多段式ルーツブロワー、エアータンク、エアーの質を確保するためのメインラインフィルター・エアードライヤ・ミストセパレータなどのエアー機器が設置される。
【０００７】
また、多段式ルーツブロワーから吐出される圧縮空気はエアー圧が微妙に変動するため、インターレース装置との間に圧力センサーを設置して、エアー圧を検出し安定させるための制御部から構成される。
【発明の効果】
【０００８】
上述したように本発明のエアーシステムは、必要な空気量に応じて多段式ルーツブロワーの原動モーターの回転数を調整しているので省エネルギーの効果がある。
【０００９】
また、ルーツブロワーの特性としてエアー圧が低い程、エアー量が増していくので、低いエアー圧で加工できるもの程効果がでてくる。０．１ＭＰａの場合５０％程度のエネルギー削減が見込める。
【発明を実施するための最良の形態】
【００１０】
以下、本発明の実施の状態を図２に基づいて説明する。
【００１１】
図において１１は多段式ルーツブロワーで吐出口からアフタークーラ１２、圧力ゲージ１３を有するエアータンク１４へ配管で接続される。エアータンクからも配管で接続され、メインラインフィルタ１５、エアードライヤ１６、ミストセパレータ１８、１６と１８の配管に圧力センサー１７が設置されている。ミストセパレータからはインターレース装置のエアー回路にあたる自動バルブ１９、エアーノズル２０へと接続される。
【００１２】
以下、上記構成の動作を説明する。
多段式ルーツブロワーより圧縮空気が吐出され、アフタークーラ１２で冷却をして、エアータンクに溜められる。メインラインフィルタ１５・エアードライヤ１６で水・油の除去をして、ミストセパレータ１８で微細な塵埃やオイルミストを除去し、インターレース装置にクリーンな圧縮空気を供給する。
【００１３】
減圧弁のロスもなくすために、圧力センサー１７でエアー圧を検出して、ＰＩＤ制御にて多段式ルーツブロワーのモーター回転数の制御で調圧を行っている。
【図面の簡単な説明】
【００１４】
【図１】従来のインターレース装置に付帯するエアー系統図
【図２】本発明を組み込んだインターレース装置に付帯するエアー系統図
【符号の説明】
【００１５】
１        エアーコンプレッサー
２、１４  エアータンク
３        メインラインフィルタ
４、１６  エアードライヤ
５        エアーレギュレータ
６、１３  圧力ゲージ
７、１９  自動バルブ
８、２０  エアーノズル
１１      多段式ルーツブロワー
１２      アフタークーラ
１５      メインラインフィルタ
１７      圧力センサー
１８      ミストセパレータ
【図１】
2007092230.tif 000002
【図２】
2007092230.tif 000003
(57)【要約】【課題】軽くて柔らかく、非常に肌触りが良くて、変形し難い胸部パッドを提供すること。【解決手段】気密性を有するカバー体２の内部に、空気と繊維の集合体３を充填し、ふわふわした状態を形成する。繊維の集合体３は、繊維のクリンプ糸を細かく裁断して寄せ集めたものとしても良い。繊維に代えて羽毛を用いることもできる。【選択図】          図１
2007092240.tif 000002
【特許請求の範囲】
【請求項１】
気密性を有するカバー体の内部に、空気と繊維の集合体を充填し、ふわふわした状態を形成することを特徴とした胸部パッド。
【請求項２】
前記繊維の集合体が、繊維のクリンプ糸を細かく裁断して寄せ集めたものである請求項１に記載の胸部パッド。
【請求項３】
前記繊維がポリエステル繊維である請求項１又は２に記載の胸部パッド。
【請求項４】
前記合成繊維に代えて羽毛を用いた請求項１に記載の胸部パッド。
【発明の詳細な説明】
【技術分野】
【０００１】
本発明は、ブラジャー、キャミソール、ブラスリップ等の衣服の胸部に装着される胸部パッドに関する。
【背景技術】
【０００２】
ブラジャー等の衣服の胸部には、乳房形状を補整するためにパッドを装着することが多い。一般的な胸部パッドは、軟質ポリウレタン、ファイバーフィル等の軟質素材をカバー体の内部に充填してある。
しかし、軟質ポリウレタン、ファイバーフィル等の軟質素材は、胸部の皮膚のようなふわふわとした柔らかい質感とは異なる触感を有するので、身体になじみにくく、肌触りも自然ではなかった。
【０００３】
また、袋の内部に液体を充填したパッドが知られているが(特許文献１参照)、このようなパッドは、流動性があって身体になじみやすいものの、重くて装着感が悪く、袋が破損すると液漏れを起こす虞があった。
さらに、本出願人は、液体充填パッドの欠点を改良するために、気体封入部と液体封入部とを有するパッドを提案した(特許文献２参照)。
しかし、気体及び液体を封入したパッドは、触感が皮膚のような柔らかい弾力のあるものではなく、肌触りが不自然であった。
【０００４】
【特許文献１】実用新案登録第３０７９９１１号公報
【特許文献２】実用新案登録第３１０８０２２号公報
【発明の開示】
【発明が解決しようとする課題】
【０００５】
本発明が解決しようとする課題は、軽くて柔らかく、非常に肌触りが良くて、変形し難い胸部パッドを提供することにある。
【課題を解決するための手段】
【０００６】
本発明の胸部パッドは、気密性を有するカバー体の内部に、空気と繊維の集合体を充填し、ふわふわした状態を形成する。ふわふわした状態とは、柔らかく膨らんだ綿のような状態を示す。
前記繊維の集合体は、繊維のクリンプ糸を細かく裁断して寄せ集めたものであっても良い。
前記繊維としては、ポリエステル繊維が適している。
前記合成繊維に代えて羽毛を用いることもできる。
【発明の効果】
【０００７】
本発明によれば、空気と繊維の集合体とを混合してふわふわした状態で封入してあるので、非常に軽いだけでなく、肌触りが自然で柔らかく、しかも、気密性を有するカバー体内に封入してあるので、経時変化により空気が抜けて潰れたり、繊維が偏って変形する心配がない。
【発明を実施するための最良の形態】
【０００８】
以下、本発明の実施例を図面に基づいて詳細に説明する。図１は、胸部パッド１の断面図、図２は、胸部パッド１の斜視図である。
胸部パッド１は、通常のパッドと同様の略楕円形に形成され、気密性を有するカバー体２の内部に、空気と繊維の集合体３を、綿のようなふわふわした状態を形成するよう充填して成る。
即ち、カバー体２の内部に、繊維をランダムに、カバー体２内の空間に対して均等に、且つ、圧縮せず低密度の嵩張った状態で充填し、カバー体２を閉鎖してふわふわした状態を形成し、胸部パッド１の可撓性を維持する。
【０００９】
カバー体２は、気密性フィルムを素材とする内カバー４と、内カバー４の外面を被覆する布製の外カバー５とから成る。なお、外カバー５は、吸湿性の高い綿布で形成するのが好ましい。
繊維の集合体３は、合成繊維等のクリンプ糸を細かく裁断し、これを編んだり、織ったり、圧縮することなく、綿状に寄せ集めたものである。
繊維としては、軽くて張りとコシのあるポリエステル繊維が適している。また、クリンプ糸を細かく裁断したことによって、空気を含みやすくなり、嵩が増す。
なお、繊維の集合体３に代えて、水鳥の羽毛（ダウン）を寄せ集めた集合体を、空気と共に気密性のあるカバー体２に充填しても良い。
【図面の簡単な説明】
【００１０】
【図１】本発明の実施例を示す胸部パッドの断面図。
【図２】本発明の実施例を示す胸部パッドの一部破断斜視図。
【符号の説明】
【００１１】
１  胸部パッド
２  カバー体
３  繊維の集合体
４  内カバー
５  外カバー
【図１】
2007092240.tif 000003
【図２】
2007092240.tif 000004
(57)【要約】【課題】  誰でも簡単に、装着固定出来て、また多様なサイズの方に対応できる作り帯を提供する。【解決手段】帯の太鼓部分を先に作り上げ、残りの部分を前帯にし該前帯部が装着時に二重巻きにした状態にし、手先の部分を該太鼓の内側に通し入れ込み帯の形を完成させる。その後、伸縮自在の長手方向に伸びるベルトを該太鼓の背面内側の左隅に縫いつけ、図５の８部分の該前帯部に７の伸縮自在の長手方向に伸びるベルトが固定されることで、多様なサイズの人に対応できる形状になっており、なおかつ図５の８部の位置により  帯幅の長さの分サイズの融通部分が多くなりより多様なサイズに適応できる物となっている。さらに、体の前面で装着できる工夫がしてあり  伸縮自在のベルトの効果により装着時の快適さが増し、身体への負担が軽減できる作り帯。体の前面で簡単に装着固定できサイズ調整が可能な状態に作りあげる。また、帯本来の形状のまま作製している為に未使用時には元に戻し保管できるものである。【選択図】    図１
2007092265.tif 000002
【特許請求の範囲】
【請求項１】
太鼓部と該太鼓部と一体に固定された長手方向に延びる前帯部と該前帯部の、長手方向と一致するように、一端が該前帯部から突出するように該前帯部に一部が固定された自身で係合して接続状態となる伸縮自在な長手方向に伸びるベルトを備えていることを特徴とする造り帯。
【発明の詳細な説明】
【技術分野】
【０００１】  この発明は、着物に装着する帯の形状に関する。
【背景技術】
【０００２】  従来の作り帯は、図２に示すように二部式にパーツが分かれていて装着時には紐で締める物である。
【発明の開示】
【発明が解決しようとする課題】
【０００３】  しかしながら、以上の技術によれば本来の帯を切断して製作されているので、元の形への復元が出来ない。また、紐での装着は締め加減が難しく安定しにくかった。そこで、この発明は、多様なサイズに対応でき、また  締めやすく安定感を得られる作り帯を提供することを課題とする。
【課題を解決するための手段】
【０００４】以上の課題を解決するために、本発明の造り帯は太鼓部と該太鼓部と一体に固定された長手方向に延びる前帯部と該前帯部の、長手方向と一致するように、一端が該前帯部から突出するように該前帯部に一部が固定された自身で係合して接続状態となる伸縮自在な長手方向に伸びるベルトを備えていることを特徴とする造り帯とする。図３が示すように、本来の帯の形状をそのままに切断せず作り帯を形成するものである。また、第一発明は図５の８部分の該前帯部に７の伸縮自在の長手方向に伸びるベルトが固定されることで、多様なサイズの人に対応できる形状になっており、なおかつ図５の８部の位置により  帯幅の長さの分サイズの融通部分が多くなりより多様なサイズに適応できる物となっている。さらに、体の前面で装着できる工夫がしてあり  伸縮自在のベルトの効果により装着時の快適さが増し、身体への負担が軽減できる作り帯である。
【発明の効果】
【０００５】      第一発明によれば、本来の帯の形状に戻すことができる為、使用しない場合元の状態に戻し収納、保管することができる。また、第一発明は図５の８部分の該前帯部に７の伸縮自在の長手方向に伸びるベルトが固定されることで、多様なサイズの人に対応できる形状になっており、なおかつ図５の８部の位置により  帯幅の長さの分サイズの融通部分が多くなりより多様なサイズに適応できる物となっている。さらに、体の前面で装着できる工夫がしてあり  伸縮自在のベルトの効果により装着時の快適さが増し、身体への負担が軽減できる作り帯。体の前面で簡単に装着固定できるものである。
【発明を実施するための最良の形態】
【０００６】  この発明の一実施形態を図３、図４に示す。帯本体はそのままで図３、図４の２の部分を太鼓の山として形作り６の部分を山に折り前帯とする。６の該前帯の３を山にして折り返し５の部分を該太鼓の内側に入れ込み側面に４センチ程出して形作る。【０００７】この発明の二実施形態を図１、図５に示す。一実施形態に示した作り帯に伸縮自在の長手方向に伸びるベルトを使用している。【０００８】  「実施形態の効果」
この実施形態によれば、図３の形状に戻すことができる為、帯の結び方を変えたい時または、収納する時に帯をいためることなく保管できる。【０００９】  「実施形態の効果」
この一実施形態によれば図１、図５に示す７の伸縮自在の長手方向に伸びるベルトを使用している為、装着時に落ちたり、緩んだりすることがなく、自分で締め具合を加減できるので長時間の装着にも負担が少なくなる。また、伸縮可能なので多様なサイズに対応でき伸縮自在のベルトが着物も固定するので着崩れも防止し、フィット感も得られる。
【図面の簡単な説明】
【００１０】
【図１】  この発明の二実施形態を示す斜視図である。
【図２】  従来技術を示す斜視図である。
【図３】  加工前の帯形態を示す平面図である。
【図４】  一実施形態を示す平面図である。
【図５】  一実施形態を示す背面図である。
【符号の説明】
【００１１】１    太鼓のたれ先      ２    該太鼓の折山      ３    前帯の折り返しの山
５    手先              ６    該前帯の輪線      ７    伸縮自在のベルト
８    該伸縮自在のベルト装着部
【図１】
2007092265.tif 000003
【図２】
2007092265.tif 000004
【図３】
2007092265.tif 000005
【図４】
2007092265.tif 000006
【図５】
2007092265.tif 000007
(57)【要約】【課題】漂白・洗浄力に優れた漂白方法を提供する。【解決手段】過酸化水素とイオン性結晶を用いて漂白するに際し、マイクロバブルを併用する漂白方法。【特許請求の範囲】
【請求項１】
過酸化水素とイオン性結晶を用いて漂白するに際し、マイクロバブルを利用する漂白方法。
【請求項２】
マイクロバブルが、空気せん断流型の装置で発生させた請求項１記載の漂白方法。
【発明の詳細な説明】
【技術分野】
【０００１】
本発明は、洗浄・漂白力に優れた過酸化水素系漂白液とマイクロバブルを用いた漂白方法に関する。本発明の方法は、洗浄・漂白等の目的に使用される。
【背景技術】
【０００２】
洗浄・漂白剤は、塩素系漂白剤と過酸化水素系漂白剤に大別される。次亜塩素酸ナトリウムを主成分とする塩素系は、その漂白力が強いことから衣類の漂白あるいは住居の壁や家具についたカビの漂白に使用されている。しかしながら、塩素系は漂白力に優れているものの、衣類を変色させるたり、分子状塩素による特有の臭気を発生して使用者に不快感を与えたりする欠点を有している。また、使用方法を誤れば塩素ガスによる中毒の危険性もある。
【０００３】
他方、過酸化水素系は塩素系と比べて漂白剤としての使用範囲が広いことや、不快臭がないことなどから、その使用量は家庭用を中心に増加してきている。しかし、過酸化水素は単独では漂白力に劣り、低温での衣類の漂白、あるいは住居の家具の壁、特に流し台や浴室の壁、天井もしくはタイル目地についたカビ等を漂白するには漂白力が不十分である。そのため、過酸化水素系の漂白剤には、漂白力を向上させる目的で種々の化合物を添加しているのが一般的である。
【０００４】
漂白力の向上剤としては、例えば、特許文献１に開示されているように、ｐ−クロロベンゾイルシアナミド等のニトリル基を有する有機化合物が用いられる。しかし、周知の如くニトリル基を有する有機化合物は、生態系において分解され難く、昨今の環境負荷低減の観点から使用は好ましくないことは明らかである。
【０００５】
殺菌の目的ではオゾンガスをマイクロバブル発生装置に供給する技術が、特許文献２に開示されているが、この方法ではマイクロバブル発生装置の他に、オゾンガス発生装置も備えなければならず、経済的に得策ではない。
【０００６】
また、難分解性物質の処理の目的で、過酸化水素及びオゾンのマイクロバブルを併用する技術が、特許文献３に開示されているが、この方法でもマイクロバブル発生装置の他に、オゾンガス発生装置を備えなければならず、経済的の得策ではない。
【０００７】
微細気泡による洗浄力の向上を狙った洗濯機も上市されているが、泡の発生原理は機械攪拌方式であり、微細気泡の表面が電荷を帯びておらず、汚れへの吸着作用がなく、洗浄効果は小さいものである。
【特許文献１】特開昭５２−５２８８０号公報
【特許文献２】特開２００４−３２１９５９号公報
【特許文献３】特開２００３−１９０９０９号公報
【発明の開示】
【発明が解決しようとする課題】
【０００８】
本発明の目的は前述したような状況に鑑み、衣類等の漂白に優れた効果を持つと共に、環境負荷の少ない漂白方法を提供することにある。
【課題を解決するための手段】
【０００９】
本発明者らは、上記課題に対し鋭意検討を行った結果、過酸化水素とイオン性結晶及び空気せん断型のマイクロバブル発生装置を用いて発生させたマイクロバブルを含んでなる漂白液を用いれば、有機化合物やオゾンガスを併用しなくても衣類等の洗浄・漂白に対して高い活性が得られることを見出し、本発明を完成させるに至った。すなわち、本発明は、過酸化水素とイオン性結晶を用いて漂白するに際し、マイクロバブルを利用する漂白方法に関するものである。
【発明の効果】
【００１０】
本発明によれば、環境負荷の少ない過酸化水素系漂白液を用いた漂白が可能となる。
【発明を実施するための最良の形態】
【００１１】
過酸化水素は、市販の過酸化水素水溶液が使用出来る。過酸化水素の濃度に特に制限はなく、対象としている洗浄・漂白物によって任意に決めることが出来る。また、処理温度にも制限はないが、高温になるほど過酸化水素の分解速度が速くなるため、通常７０℃以下の温度で実施される。
【００１２】
本発明におけるイオン性結晶は、イオン性結晶であれば特に制限はなく、硫酸、硝酸、塩酸または炭酸等の各種ナトリウム塩やカリウム塩、カルシウム塩等が好適に使用される。イオン性結晶の濃度にも制限はなく、溶解度の範囲内で任意に決定出来る。
【００１３】
また、本発明においては、使用目的に応じて任意のｐＨが選択出来る。ｐＨのコントロールにはどのような化合物を用いても良く、酸であれば硫酸や塩酸等の鉱酸、酢酸やプロピオン酸等の有機酸が使用可能であり、塩基であればアンモニア、水酸化アルカリ、アミン類等が使用可能である。
【００１４】
マイクロバブルは、空気せん断流を利用した大成式（徳山工業高等専門学校  大成博文教授開発）やＯＨＲ流体工学研究所式ノズルが好適に使用される。マイクロバブルを発生させる際の温度にも特に制限はなく、溶液の沸点以下であれば実施可能である。マイクロバブルを形成させる気体の種類にも制限はなく、空気以外の気体も使用可能である。
【実施例】
【００１５】
以下に実施例を挙げて本発明を更に詳しく説明するが、本発明はこれらの実施例によりその範囲を限定されるものではない。
【００１６】
実施例及び比較例における脱色試験は、下記の評価方法により評価した。
試験する液をメチレンブルーにて染色し、処理前後の濃度変化をメチレンブルーの分解率として算出した。メチレンブルーの濃度測定は、日本分光株式会社製Ｕｂｅｓｔ−３５を用い、波長６６０ｎｍにて行った。
メチレンブルー分解率＝（試験前濃度−試験後濃度）／(試験前濃度)×１００（％）
【００１７】
実施例１
水槽、冷却管、ポンプ(定格能力：３０リットル／分)、大成式ノズル(Ｍ２−Ｍ型)を備えたマイクロバブル発生装置を用いた。水槽に３．５重量％過酸化水素、１０重量％硫酸ナトリウム、１１ｐｐｍメチレンブルーを含む水溶液３リットルを入れ、ポンプを起動させた。ポンプの起動によりノズルに吸引された空気量は、１時間当たり約３０リットルであった。水槽内温度２５℃にて６時間後ポンプを停止し、メチレンブルーの濃度を求めたところ９．２ｐｐｍであり、メチレンブルーの分解率は１６．１％であった。
【００１８】
比較例１
水槽に３．５重量％過酸化水素、１１ｐｐｍメチレンブルーを含む水溶液を用いた以外は、実施例１と同様に実験を行った。６時間後のメチレンブルー濃度は１０ｐｐｍであり、メチレンブルーの分解率は９．０％であった。
(57)【要約】      （修正有）【課題】嵩比重が１．０以下の粉体を樹脂などの液状物に均一に混合することはきわめて困難であり、しばしばままこ状態になっていた。均一に混合するには強烈な撹拌、ロールを通過させるなどの手数を必要とした。嵩比重の１．０以下の粉体を液状物に均一に、簡単に分散させること。【解決手段】アルコ−ル、多価アルコール、アミン酸などの極性溶媒、またはフタル酸エステル、脂肪酸エステルなどの可塑剤と金属石鹸、ハイドロタルサイトなどの嵩比重が１．０以下の粉体とからなるペーストを作成し、このペーストを液状物に配合する。【選択図】なし【特許請求の範囲】
【請求項１】
極性溶媒又は可塑剤と粉体からなるペースト
【請求項２】
極性溶媒がアルコール、多価アルコール、アミン酸である請求項1記載のペースト
【請求項３】
嵩比重が1.0以下の粉体である、請求項1記載のペースト
【請求項４】
粉体が金属石鹸、ハイドロタルサイトである請求項1記載のペースト
【請求項５】
可塑剤がフタル酸エステル、脂肪酸エステルである、請求項1記載のペースト
【請求項６】
溶媒がエチレングリコールと2-エチルへキシルアルコールの混合液である請求項1のペースト
【請求項７】
溶媒が50％〜60％、粉体が40％〜50％である請求項1のペースト
【発明の詳細な説明】
【技術分野】
【０００１】
本発明は、粉体のペーストに関する。
【背景技術】
【０００２】
従来、比重の小さい無機化合物の粉体は、他の成分と混合するとき、均一に分散しない、
という問題点があった。
【発明の開示】
【発明が解決しようとする課題】
【０００３】
本発明は、嵩比重が1.0以下のいわゆるふはふはの状態の粉体を、樹脂など液状物に均一
に混合することは極めて困難であり、応々にしていわゆるままこ状態になっていた。均一
に混合するには、強烈な撹拌、ロールを通過させるなどの手数を必要とした。本発明は、
これらの問題点を解決することを目的とする。
【課題を解決するための手段】
【０００４】
本発明は、嵩比重1.0以下の粉体と極性溶媒を混合しペーストにすることにより、該ペー
ストを添加すれば容易に均一に分散させ得ることを見出したことに基づく。
嵩比重1.0以下の粉体とは、金属石鹸（ステアリン酸亜鉛、ステアリン酸マグネシウム）、
各種無機微粉末（マイカ、タルク、シリカ微粉末SiO2、ネフェリンサイト、珪藻土等）、
各種顔料微粉末（カーボンブラック、酸化チタン等）、水酸化マグネシウム、酸化マグネシ
ウム、ハイドロタルサイト等が挙げられる。
【０００５】
極性溶媒としては、アルコール類（メタノール、エタノール、イソプロピルアルコール
等）、グリコール類（エチレングリコール、プロピレングリコール、ジエチレングリコール、
1.4ブタンジオール、1.6ヘキサンジオール等）、グリセリン類、アクリル酸類、アミン類等で、比重の小さい無機粉体と、親和性のある液状有機化合物である。可塑剤としてはフタル酸エステル、脂肪酸エステル等である。
【０００６】
無機粉体化合物と極性溶媒の混合比率は、所望するペーストの粘度になるよう、適宜選択すれば良い。ペースト化は極性溶媒の中へ粉体を投入し、撹拌機で均一になるまで混合して、完成する。
【発明の効果】
【０００７】
本発明によるペーストは、今まで粉体のままでは樹脂等に分散させることが困難であったものが、容易に分散可能となった。例えば、塩化ビニル加工時に添加する安定剤、FRP製造時に添加する添加剤、塗料製造時に添加する粉末が挙げられる。
【発明を実施するための最良の形態】
【０００８】
実施例の通りである。
【実施例】
【０００９】
以下実施例により、具体的に説明する。
溶媒としてイソプロピルアルコール、2−エチルヘキシルアルコール、エチレングリコール、を使用した。
溶媒単独、混合物を用意した。表1に示す。
【表１】
2007023122.tif 000002
表1に示した溶媒と微粉末を混合しペーストとした結果は、第2表に示す。
【表２】
2007023122.tif 000003
(57)【要約】      （修正有）【課題】更年期障害、閉経後のホルモン分泌不足、パーキンソン等の対応に必要とされる経口組成物の提供。【解決手段】カリウムやビタミンＣクエン酸リンゴ酸などカルシウムの吸収を促進する有機酸を多く含有する各種混合してなる経口組成物に粉末化したザクロ及び複数のサプリメントの混合物を共存させてなる組成物。【選択図】なし【特許請求の範囲】
【請求項１】
粉末のザクロと各種混合にしてなるサプリメントの相乗効果を併用閉経後のホルモンの分泌不足及びパーキンソン症の四徴候の予防改善目的の経口組成物を提供する
【請求項２】
粉末のザクロは更年期障害を吹き飛ばすカリウムやビタミンＣクエン酸リンゴ酸などカルシウムの吸収を促進する有機酸を多く含有しまた女性ホルモンと同じ科学構造を持つ植物性ホルモンを有し閉経後のホルモンのバランス調整とパーキンソン症の予防改善に際立った効果を奏する経口組成物を補充する
【請求項３】
パーキンソン症の四徴候は手足のふるい振戦筋肉が固くなる固縮動作不自由無動転倒姿勢保持障害
【請求項４】
卵巣内にある卵巣細胞や黄体から分泌されるエストロゲンなどの女性ホルモンが更年期以降は減少する女性は閉経後エストロゲンとプロゲステロンの分泌が低下するとパーキンソン症を誘因する
【請求項５】
ビタミンＤは日光浴でつくられ皮下脂肪にはビタミンＤになる前の物質があり紫外線を浴びてビタミンＤに変化する。ビタミンＤは筋肉の機能をよくするビタミンＡの吸収を助けステロイド構造を持ち骨のカルシウム代謝に重要な働きをするカルシウムを多く摂取してもビタミンＤが不足するとカルシウムは骨の中に取り込まれない
【請求項６】
亜鉛は細胞分裂に不可欠なミネラルで骨格の発達や繊維に関与タンパク質の組織にかえるためには酵素がタンパク質に直接働きかけ科学変化させることで身体がつくられるその酵素の核が亜鉛
【請求項７】
筋肉を増やすには筋肉の代謝回転のほかに新しくつくられる筋肉たんぱく質は少量のため材料としてのたんぱく質は少しでよく筋肉をつくるには糖質食を多く摂取筋肉コラーゲンを増やしその筋肉に負荷をかけると筋肉が強化する
【発明の詳細な説明】
【技術分野】
【０００１】閉経後のホルモンの分泌不足のバランス調整及びパーキンソン症等の対応は粉末のザクロと各種効果量配合比にしてなるサプリメントの相乗効果を併用した経口組成物を提供する
【背景技術】
【０００２】更年期障害とパーキンソン症の予防改善にカリウムやビタミンＣクエン酸リンゴ酸などカルシウムの吸収を促進する有機酸を多く含有する各種混合にしてなる経口組成物に粉末のザクロを共存させて提供する
【発明の開示】
【発明が解決しようとする課題】
【０００３】粉末のザクロは女性ホルモンと同じ科学構造を持つ植物性ホルモンを有し閉経後のホルモンの分泌不足またエストロゲンの分泌低下によるパーキンソン症の対応は各種混合にしてなる経口組成物を補充する
【課題を解決するための手段】
【０００４】更年期障害閉経後のホルモンの分泌不足また卵巣細胞や黄体から分泌されるエストロゲンやプロゲステンの分泌低下が誘因のパーキンソン症四徴候の振戦固縮無動姿勢保持障害等々予防改善に各種混合にしてなるサプリメントの相乗効果と粉末のザクロを共存させる粉末のザクロは女性ホルモンと同じ化学構造を持つ女性ホルモンを有し分泌不足が全ての共通原因の更年期障害閉経後のホルモン不足またパーキンソン症四徴候等々の予防改善により際立った効果を奏する経口組成物
【発明の効果】
【０００５】粉末のザクロは更年期障害を吹き飛ばすカリウムやまた女性ホルモンと同じ科学構造を持つ植物性ホルモンを有しホルモンのバランス調整とパーキンソン症の予防改善に際立った効果を奏する
(57)【要約】【課題】口腔内細菌の繁殖を抑制し、口腔内細菌によって起こる種々の病態を予防するための剤を提供する。【解決手段】納豆成分を含有する口腔内細菌繁殖抑制剤または口腔用組成物。【効果】  口腔内での細菌の繁殖を防ぎ、口腔内細菌により起こる種々の病態を防ぐ。【選択図】なし【特許請求の範囲】
【請求項１】
納豆成分からなる口腔内細菌繁殖抑制剤。
【請求項２】
納豆成分を含有し、口腔内細菌繁殖抑制効果のある口腔用組成物。
【発明の詳細な説明】
【技術分野】
【０００１】本発明は、口腔内細菌の繁殖による種々の病態の予防に関する。
【背景技術】
【０００２】口腔内の細菌によって口臭症、虫歯、誤嚥性肺炎、バージャー病その他種々の病態が起こることが知られている。口腔内の細菌を減らすには、ブラッシング等やポビドンヨードなどが用いられる。しかしブラッシングで細菌を減らしてもすぐに増殖してしまう。ポビドンヨードによる含嗽でも２時間ほどで細菌数はもとに戻ってしまう。
【発明の開示】
【発明が解決しようとする課題】
【０００３】  本発明の目的は口腔内細菌の繁殖を抑制し、口腔内細菌によって起こる種々の病態を予防するための剤を提供することにある。
【課題を解決するための手段】
【０００４】本発明者は、納豆成分が口腔内細菌繁殖を抑制することを見出した。
すなわち本発明は、納豆成分からなる口腔内細菌繁殖抑制剤を提供するものである。
また本発明は、納豆成分を含有する口腔用組成物を提供するものである。
【発明の効果】
【０００５】  本発明によれば、口腔内の細菌繁殖を抑制でき、口腔内細菌による口臭・その他種々の病態をを防御することが出来る。
また本発明の納豆成分はもともと食品であることから極めて安全である。
【発明を実施するための最良の形態】
【０００６】  納豆成分が口腔内細菌の繁殖を抑制し、口腔内細菌による種々の病態の予防に利用できることは全く知られていない。
納豆成分はヒトを含む動物の口腔内に利用できる。
投与方法は種々の形態で投与することができる。医薬品としては含嗽剤、ベースト、顆粒剤、散剤、シロップ剤などとして利用できる。
またチューインガム、キャンディー、トローチ、歯磨きペースト等の口腔用組成物として利用できる。